(57)【要約】【課題】コンパクト化を可能にしつつ、緩やかな気流を形成できる、脱臭装置を提供する。【解決手段】本発明の脱臭装置１は、介護ベッドの上側で発生する臭気を低減するための脱臭装置であって、第１吸込口１１及び第１排出口１２を有し、第１吸込口から第１排出口までの流路を内部に形成する、本体ケース１０と、第１吸込口と第１排出口との間の流路内に配置され、第１吸込口から第１排出口へ向かう気流を発生可能に構成された、第１ファン２０と、第１吸込口から第１排出口までの流路内に配置された、脱臭部材３０と、を備え、第１吸込口は、本体ケースの前方を向くとともに、本体ケースの上部に配置されており、第１ファンの動作中において、第１吸込口から吸い込まれた空気は、本体ケースの流路内で、第１ファンよりも上側で後方へと流れた後に下降し、その後に前方へと方向転換されてから第１ファンに吸い込まれる。【選択図】図２
2018033704.tif 000002
【特許請求の範囲】
【請求項１】
介護ベッドの上側で発生する臭気を低減するための脱臭装置であって、
第１吸込口及び第１排出口を有し、前記第１吸込口から前記第１排出口までの流路を内部に形成する、本体ケースと、
前記第１吸込口と前記第１排出口との間の流路内に配置され、前記第１吸込口から前記第１排出口へ向かう気流を発生可能に構成された、第１ファンと、
前記第１吸込口から前記第１排出口までの流路内に配置された、脱臭部材と、
を備え、
前記第１吸込口は、前記本体ケースの前方を向くとともに、前記本体ケースの上部に配置されており、
前記第１ファンの動作中において、前記第１吸込口から吸い込まれた空気は、前記本体ケースの流路内で、前記第１ファンよりも上側で後方へと流れた後に下降し、その後に前方へと方向転換されてから前記第１ファンに吸い込まれる、脱臭装置。
【請求項２】
前記第１ファンは、前記本体ケースの前後方向での寸法が、前記本体ケースの上下方向での寸法よりも小さく構成されている、請求項１に記載の脱臭装置。
【請求項３】
前記第１ファンは、遠心式ファンであり、前記第１ファンの回転軸線が前記本体ケースの前後方向に延在するように指向されている、請求項１又は２に記載の脱臭装置。
【請求項４】
前記本体ケース内に、前記第１ファンよりも上流側の流路内に配置された、第１パンチングメタルをさらに備えている、請求項１〜３のいずれか一項に記載の脱臭装置。
【請求項５】
前記本体ケース内に、前記第１ファンよりも上流側で、流路の曲がり部分に配置された、ガイドベーンをさらに備えている、請求項１〜４のいずれか一項に記載の脱臭装置。
【請求項６】
前記本体ケースの前記第１吸込口に接続された、フレキシブルダクトをさらに備えている、請求項１〜５のいずれか一項に記載の脱臭装置。
【請求項７】
前記本体ケースの上面、左面及び右面のうち少なくともいずれか１つに、前記本体ケースに対して可動に設けられているとともに、前記本体ケースの前方へ延在可能に構成された、可動板をさらに備えている、請求項１〜６のいずれか一項に記載の脱臭装置。
【請求項８】
前記本体ケースとは別体のプッシュフードをさらに備え、
前記プッシュフードは、
第２吸込口及び第２排出口を有し、前記第２吸込口から前記第２排出口までの流路を内部に形成する、プッシュフードケースと、
前記第２吸込口と前記第２排出口との間の流路内に配置され、前記第２吸込口から前記第２排出口へ向かう気流を発生可能に構成された、第２ファンと、
前記第２ファンよりも下流側の流路内に配置された、第２パンチングメタルと、
前記第２パンチングメタルよりも下流側の流路内に配置された、ハニカム整流格子と、
を備え、
前記プッシュフードは、前記プッシュフードケースの前記第２排出口から出た空気が前記本体ケースの前記第１吸込口に入るように、前記本体ケースに対して配置可能に構成されている、請求項４に記載の脱臭装置。
【発明の詳細な説明】
【技術分野】
【０００１】
本発明は、介護ベッドの上側で被介護者のオムツを交換する際等に発生する臭気を低減するための脱臭装置に関する。
【背景技術】
【０００２】
従来の脱臭装置として、ファンを内蔵する本体ケースの前面のほぼ全体に、本体ケースの吸込口が設けられ、本体ケースの吸込口の後方にファンの吸込口が対向配置されたものがある（例えば、特許文献１）。この脱臭装置では、本体ケースの吸込口から吸い込まれた空気が、後方へとまっすぐ流れた後にファンに吸い込まれ、ファンから出た後は本体ケースの排出口から排出される。
【先行技術文献】
【特許文献】
【０００３】
【特許文献１】特開２０１４−１７１６７１号公報
【発明の概要】
【発明が解決しようとする課題】
【０００４】
ところで、介護者が介護ベッド上の被介護者のオムツを交換する際等に脱臭装置を使用する場合、脱臭装置の好ましい配置場所は、介護ベッドの幅方向一方側又は両側で作業する介護者を邪魔しないことと、臭気を介護者や被介護者の顔に近づけないことを考慮すると、介護ベッドのフットボードの向かい側であるといえる。しかし、特許文献１の脱臭装置を介護ベッドのフットボードの向かい側に配置すると、本体ケースの吸込口の大部分が介護ベッドのフットボードに面することになるため、介護ベッドの上側から発生する臭気を効率的に取り込むことができない。
そこで、本体ケースの吸込口がフットボードよりも上側のみに位置するように、本体ケースの吸込口の位置を変更することも考えられる。しかし、その場合、本体ケースの吸込口がファンの吸込口よりも上側にずれて位置することとなる。そのため、本体ケースの前後方向の寸法を一定として考えた場合、本体ケースの吸込口から吸い込まれた空気は、急なカーブに沿って下方それから後方へと方向転換されてからファンの吸込口に入ることになる。その結果、圧力損失が増大したり、脱臭装置の外で被介護者に不快感を与えるような吸引気流を生じさせたりするおそれがある。一方、本体ケースの吸込口からファンの吸込口までの気流を緩やかにするために、本体ケースの吸込口からファンの吸込口までの前後方向の距離を長くすることも考えられるが、その場合、脱臭装置が大型化するため、充分なスペースを確保しにくい介護現場では特に問題となる。
【０００５】
本発明は、上記の課題を解決するためにされたものであり、コンパクト化を可能にしつつ、緩やかな気流を形成できる、脱臭装置を提供することを目的とする。
【課題を解決するための手段】
【０００６】
上記目的を達成するための本発明の要旨構成は、次の通りである。
【０００７】
本発明の脱臭装置は、介護ベッドの上側で発生する臭気を低減するための脱臭装置であって、
第１吸込口及び第１排出口を有し、前記第１吸込口から前記第１排出口までの流路を内部に形成する、本体ケースと、
前記第１吸込口と前記第１排出口との間の流路内に配置され、前記第１吸込口から前記第１排出口へ向かう気流を発生可能に構成された、第１ファンと、
前記第１吸込口から前記第１排出口までの流路内に配置された、脱臭部材と、
を備え、
前記第１吸込口は、前記本体ケースの前方を向くとともに、前記本体ケースの上部に配置されており、
前記第１ファンの動作中において、前記第１吸込口から吸い込まれた空気は、前記本体ケースの流路内で、前記第１ファンよりも上側で後方へと流れた後に下降し、その後に前方へと方向転換されてから前記第１ファンに吸い込まれる。
本発明の脱臭装置によれば、コンパクト化を可能にしつつ、緩やかな気流を形成できる。
【０００８】
本発明の脱臭装置において、前記第１ファンは、前記本体ケースの前後方向での寸法が、前記本体ケースの上下方向での寸法よりも小さく構成されていると、好適である。
この構成によれば、さらなるコンパクト化が可能となる。
【０００９】
本発明の脱臭装置において、前記第１ファンは、遠心式ファンであり、前記第１ファンの回転軸線が前記本体ケースの前後方向に延在するように指向されていると、好適である。
この構成によれば、さらなるコンパクト化を可能としつつ、圧力損失を低減できる。
【００１０】
本発明の脱臭装置は、前記本体ケース内に、前記第１ファンよりも上流側の流路内に配置された、第１パンチングメタルをさらに備えていると、好適である。
この構成によれば、第１ファンに入る手前の気流を整流化できる。
【００１１】
本発明の脱臭装置は、前記本体ケース内に、前記第１ファンよりも上流側で、流路の曲がり部分に配置された、ガイドベーンをさらに備えていると、好適である。
この構成によれば、第１ファンに入る手前の気流を緩やかにすることができる。
【００１２】
本発明の脱臭装置は、前記本体ケースの前記第１吸込口に接続された、フレキシブルダクトをさらに備えていると、好適である。
この構成によれば、臭気をより効率的に取り込むことができる。
【００１３】
本発明の脱臭装置は、前記本体ケースの上面、左面及び右面のうち少なくともいずれか１つに、前記本体ケースに対して可動に設けられているとともに、前記本体ケースの前方へ延在可能に構成された、可動板をさらに備えていると、好適である。
この構成によれば、臭気をより効率的に取り込むことができる。
【００１４】
本発明の脱臭装置は、前記本体ケースとは別体のプッシュフードをさらに備え、
前記プッシュフードは、
第２吸込口及び第２排出口を有し、前記第２吸込口から前記第２排出口までの流路を内部に形成する、プッシュフードケースと、
前記第２吸込口と前記第２排出口との間の流路内に配置され、前記第２吸込口から前記第２排出口へ向かう気流を発生可能に構成された、第２ファンと、
前記第２ファンよりも下流側の流路内に配置された、第２パンチングメタルと、
前記第２パンチングメタルよりも下流側の流路内に配置された、ハニカム整流格子と、
を備え、
前記プッシュフードは、前記プッシュフードケースの前記第２排出口から出た空気が前記本体ケースの前記第１吸込口に入るように、前記本体ケースに対して配置可能に構成されていると、好適である。
この構成によれば、臭気をより効率的に取り込むことができる。
【発明の効果】
【００１５】
本発明によれば、コンパクト化を可能にしつつ、緩やかな気流を形成できる、脱臭装置を提供することができる。
【図面の簡単な説明】
【００１６】
【図１】本発明の第１実施形態の脱臭装置を使用状態で示す概略図である。
【図２】図１の脱臭装置を示す図であり、図２（ａ）は斜視図、図２（ｂ）は側面図である。
【図３】図２の第１ファンの動作を説明するための図である。
【図４】本発明の第２実施形態の脱臭装置を示す図であり、図４（ａ）は使用状態で示す概略図、図４（ｂ）は図４（ａ）のプッシュフードの斜視図である。
【図５】図４の脱臭装置の変形例を使用状態で示す概略図である。
【図６】本発明の第２実施形態の脱臭装置に用いられるプッシュフードの変形例を説明するための概略図である。
【図７】本発明の第３実施形態の脱臭装置を使用状態で示す概略図である。
【図８】本発明の第４実施形態の脱臭装置を使用状態で示す概略図である。
【発明を実施するための形態】
【００１７】
以下、本発明の実施形態について、図面を参照して詳細に例示説明する。
【００１８】
〔第１実施形態〕
本発明の第１実施形態の脱臭装置について、図１〜図３を参照して説明する。
まず、図１及び図２を参照して、第１実施形態の脱臭装置１の構造について説明する。図１は、第１実施形態の脱臭装置１を、その使用状態で示している。図２（ａ）は、図１の脱臭装置１を示す斜視図であり、図２（ｂ）は、図１の脱臭装置１を示す側面図である。図１に示すように、本実施形態の脱臭装置１は、介護ベッド３００に隣接配置された状態で、介護ベッド３００の上側で介護者Ｃが被介護者Ｐのオムツを交換する際等に発生する臭気を低減するために、使用されるものである。
【００１９】
介護ベッド３００は、通常、介護ベッド３００の長手方向の一端に、被介護者Ｐの足に隣接するフットボード３０１を有し、介護ベッド３００の長手方向の他端には、被介護者Ｐの頭部に隣接するヘッドボード３０２を有する。図１に示すように、本実施形態の脱臭装置１は、介護ベッド３００のフットボード３０１に対向配置されている。脱臭装置１をフットボード３０１の向かい側に配置することにより、介護ベッド３００の幅方向一方側又は両側で作業する介護者Ｃの邪魔にならないとともに、臭気を介護者Ｃや被介護者Ｐの顔に近づけないようにすることができる。
ただし、本実施形態の脱臭装置１は、介護ベッド３００の幅方向一方側に配置された状態で使用されてもよい。また、本実施形態の脱臭装置１は、フットボード３０１、ヘッドボード３０２を有しないタイプのベッドに隣接配置された状態で使用されてもよい。
【００２０】
図２に示すように、本実施形態の脱臭装置１は、箱型の本体ケース１０と、本体ケース１０に内蔵された第１ファン２０と、脱臭部材３０と、を備えている。本体ケース１０及びこれに取り付けられた、第１ファン２０や脱臭部材３０等は、脱臭装置１の本体部１００を構成している。
本体ケース１０は、第１吸込口１１及び第１排出口１２を有し、第１吸込口１１から第１排出口１２までの流路を内部に形成している。
なお、説明の便宜のため、本明細書では、本体ケース１０側から観たときの「前方向」、「後方向」、「左方向」、「右方向」の、水平方向に平行な４方向を、第１吸込口１１の中心軸線を水平面に投影した仮想線が向く方向を「前方向」としてそれぞれ定義することとし、それぞれ単に「前方向」、「後方向」、「左方向」、「右方向」ということがある。つまり、図１の例では、脱臭装置１の前面が、介護ベッド３００のフットボード３０１に対向しており、脱臭装置１の後面（背面）が、介護ベッド３００とは反対側を向いている、といえる。
また、本明細書において、「前方」、「後方」、「上方」、「下方」とは、それぞれ、一義的に定義される「前方向」、「後方向」、「上方向」（鉛直方向での上方向）、「下方向」（鉛直方向での下方向）に対して、任意の方向へ鋭角の角度で傾斜した方向も含む。図１の例では、第１吸込口１１は、本体ケース１０の前方を向いているとともに、介護ベッド３００上の被介護者Ｐに向けて斜め下を向いている、といえる。
【００２１】
図１の例において、脱臭装置１は、本体ケース１０の下面（底面）に設けられたキャスター１３によって、床の上を容易に移動可能にされている。これにより、脱臭装置１の使用者（例えば介護者Ｃ）は、簡単に、使用時において脱臭装置１を介護ベッド３００の傍へと移動したり、収納時において脱臭装置１を部屋の隅へ移動したりすることができる。
【００２２】
図１の例において、本体ケース１０は、左右方向の長さや上下方向の長さよりも前後方向の長さのほうが短いような、薄型に構成されている。これにより、脱臭装置１をコンパクト化でき、充分なスペースを確保しにくい介護現場では特に有利である。
図１の例では、本体ケース１０の左右方向の長さは約１０００ｍｍであり、本体ケース１０の上下方向の長さ（キャスター１３や外部案内板１７を除いて観たときの、本体ケース１０の底面から上面までの上下方向の長さ）は約７８０ｍｍであり、本体ケース１０の前後方向の長さは約３５０ｍｍである。
【００２３】
第１吸込口１１は、本体ケース１０の上部に配置されている。また、第１吸込口１１は、上下方向の長さよりも左右方向の長さのほうが長い、横長形状からなる。
第１吸込口１１の下端の高さは、フットボード３０１の上端の高さよりも高いとよく、この観点から、７００〜８００ｍｍであると好ましい。これにより、臭気が集中する介護ベッド３００の上側の空気だけを集中的に脱臭装置１内へ取り入れることができ、脱臭の必要のない介護ベッド３００の下側の空気が脱臭装置１内に取り入れられるのを抑制できるので、脱臭効率を向上できる。
なお、本明細書において、「高さ」とは、特に断りがない限り、床からの高さを指す。
図１の例では、第１吸込口１１の下端の高さは約７５０ｍｍである。
また、高さ調整機能付ベッドについては、この高さに限定されない。
【００２４】
第１吸込口１１の左右方向の長さは、介護ベッド３００の幅（介護ベッド３００の長手方向に垂直な方向の長さ）に近いほうがよく、この観点から、９００〜１１００ｍｍであると好ましい。これにより、介護ベッド３００のほぼ全幅にわたって、介護ベッド３００上の臭気を脱臭装置１内へ取り入れることができるので、脱臭効率を向上できる。
図１の例では、第１吸込口１１の左右方向の長さは、本体ケース１０の左右方向の長さとほぼ同じ、約１０００ｍｍであり、第１吸込口１１の上下方向の長さ（すなわち第１吸込口１１の下端から上端までの上下方向の距離）は約１３０ｍｍである。
【００２５】
図１及び図２の例では、本体ケース１０に、第１吸込口１１の上端から上方へ延在する、外部案内板１７が設けられている。外部案内板１７は、脱臭の必要のない、外部案内板１７よりも後方の空気が第１吸込口１１に入るのを妨げるので、脱臭効率を向上できる。
【００２６】
図２に示すように、本体ケース１０の内部には、空気を案内するための内部案内板１４〜１６が設けられている。第１内部案内板１４は、本体ケース１０の左右方向全長にわたって、第１吸込口１１の下端から連続して後方に延在し、本体ケース１０の後壁に致る手前で終端している。第２内部案内板１５は、本体ケース１０の左右方向全長にわたって、第１内部案内板１４の後端から連続して下方に延在し、本体ケース１０の底壁に至る手前で終端している。第３内部案内板１６は、本体ケース１０の左右方向全長にわたって、第２内部案内板１５の下端から連続して後方に延在し、本体ケース１０の後壁に連結されている。
【００２７】
第１ファン２０は、本体ケース１０の第１吸込口１１と第１排出口１２との間の流路内に配置され、第１吸込口１１から第１排出口１２へ向かう気流を発生可能に構成されている。本明細書では、本体ケース１０内の流路において、第１吸込口１１に近い側を「上流側」といい、第１排出口１２に近い側を「下流側」という。
図２の例では、第１ファン２０は、第１内部案内板１４よりも下側において、第２内部案内板１５の前面に固定されている。図２の例では、第１ファン２０は遠心式のケーシング付きのシロッコファンであり、羽根車２３と、吸込口２１と、排出口２２と、羽根車２３を回転させるモータ２４とを有している。図２の例では、第１ファン２０は、その吸込口２１が後側を向いており、その排出口２２が下方向を向いている。第２内部案内板１５には、開口１５ａが設けられており、開口１５ａは第１ファン２０の吸込口２１に接続されている。なお、第１ファン２０の排出口２２は、左方向又は右方向を向いていても好適である。
【００２８】
本体ケース１０の下部には、本体ケース１０の左壁及び右壁に、第１排出口１２が１つずつ配置されている。第１排出口１２は、第１排出口１２から出た空気が水平方向に流れるように、水平方向に平行な方向を向いているとよい。これにより、例えば第１排出口１２が下方を向いている場合よりも、第１排出口１２から出た空気が床に付いた塵等を巻き上げるのを抑制できるので、衛生面から好ましい。特に、第１排出口１２は本体ケース１０の底壁に設けられないのが好ましい。また、第１排出口１２が水平方向に平行な方向を向いていることにより、例えば第１排出口１２が上方を向いている場合よりも、第１排出口１２から出た空気が介護者Ｃや被介護者Ｐに当たるのを抑制できるので、介護者Ｃや被介護者Ｐに不快感を与えるのを抑制できる。図２の例では、第１排出口１２はそれぞれ左方向、右方向を向いているが、第１排出口１２は、前方向、後方向を向いていても、同様の効果が得られる。
ただし、第１排出口１２の配置や向きは任意でよい。また、第１排出口１２の数は、１つのみでもよいし、３つ以上でもよい。
なお、簡単のため、図２以外の図面（図１、図４〜図８）では、第１排出口１２の図示を省略する。
【００２９】
図２の例において、各第１排出口１２の直前には、脱臭部材３０がそれぞれ設けられている。脱臭部材３０は、例えば活性炭フィルタから構成され、脱臭部材３０を通る空気の臭気を取り除く機能を有する。脱臭部材３０が第１排出口１２近傍にあることにより、脱臭部材３０がそれよりも本体ケース１０の内部にある場合に比べて、消耗品である脱臭部材３０の交換作業がし易くなる。ただし、脱臭部材３０は、第１吸込口１１から第１排出口１２までの流路内の任意の位置に配置されてよい。
【００３０】
上述のような構成によって、第１ファン２０の動作中において、本体ケース１０の第１吸込口１１から吸い込まれた空気は、第１ファン２０よりも上側の、第１内部案内板１４の上面と本体ケース１０の上壁、左壁及び右壁の内壁面とによって区画された流路内で、後方へと流れた後に、本体ケース１０の上壁、後壁、左壁及び右壁の内壁面に沿って下方へと方向転換されてから、第２内部案内板１５の後面と本体ケース１０の後壁、左壁及び右壁の内壁面とによって区画された流路内で下方へ流れる。その後、第３内部案内板１６の上面によって案内されながら前方へと方向転換されて、第２内部案内板１５の開口１５ａを通って、第１ファン２０の吸込口２１に吸い込まれる。このように、本体ケース１０の第１吸込口１１から吸い込まれた空気は、本体ケース１０の流路内で、第１ファン２０の周りを略Ｕ字状に迂回してから第１ファン２０の吸込口２１に入る。
その後、第１ファン２０の排出口２２から出た空気は、脱臭部材３０によって脱臭された後、第１排出口１２から出て、室内へと戻される。
脱臭済みの空気を室内に戻すことにより、例えば室内外で空気を入れ替える場合とは異なり、室内の温度や湿度に影響を与えないので、空調の省エネ等に繋がる。
【００３１】
上述のように、本実施形態の脱臭装置１によれば、本体ケース１０の上部に第１吸込口１１を配置することによって、第１吸込口１１をフットボード３０１よりも上側に配置することが可能となる。これにより、臭気が集中する介護ベッド３００の上側の空気だけを集中的に脱臭装置１内へ取り入れることができ、脱臭効率を向上できる。
また、本体ケース１０の第１吸込口１１から吸い込まれた空気が、本体ケース１０の流路内で、第１ファン２０の周りを略Ｕ字状に迂回してから、本体ケース１０の後方を向くように指向された第１ファン２０の吸込口２１に入るので、例えば本体ケース１０の上部に位置する第１吸込口１１から吸い込まれた空気が、下方それから後方へと方向転換されてから、本体ケース１０の前方を向くように指向された第１ファン１０の吸込口２１に入るようにされた場合に比べて、本体ケース１０の前後方向の寸法を薄くしつつ、本体ケース１０内の気流を緩やかにすることができる。本体ケース１０内の気流を緩やかにすることにより、気流の圧力損失を低減でき、ひいては、第１ファン２０の消費電力を低減できる。
また、このように、第１吸込口１１を高い位置に配置して、被介護者Ｐと本体ケース１０の第１吸込口１１との間に十分な距離を確保することにより、また、装置内の気流を穏やかにすることにより、脱臭装置１の外で第１吸込口１１に向かう吸引気流が、被介護者Ｐがオムツ交換中に肌が露出される間、被介護者Ｐにとって寒気や不快感を感じにくいものとなる。
【００３２】
図２の例では、本体ケース１０の上壁の内壁面（下面）と後壁の内壁面（前面）とによって区画されるコーナ内壁面が、アール付けされており、言い換えれば、後ろ斜め上に凸に湾曲している。これにより、第１内部案内板１４と本体ケース１０の上壁との間を後方へ流れてきた気流をスムーズに下方へと方向転換させることができる。
ただし、本体ケース１０の上壁の内壁面（下面）と後壁の内壁面（前面）とによって区画されるコーナ内壁面は、アール付けされてなくてもよい。
【００３３】
本実施形態の脱臭装置１は、本体ケース１０内に、第１ファン２０よりも上流側の流路内に配置された、第１パンチングメタル４０をさらに備えている。図２の例では、第１パンチングメタル４０は、第１吸込口１１の近傍で、第１内部案内板１４の上面によって区画された流路内に、流路内の空気の全てがパンチングメタル４０を通るように、設けられている。図２の例では、第１パンチングメタル４０は、鉛直方向に延在しているが、鉛直方向に対して鋭角をなすように傾斜した方向に延在してもよい。
図２の例では、本体ケース１０の第１吸込口１１の左右方向の長さが、第１ファン２０の吸込口２１に繋がる第２内部案内板１５の開口１５ａの左右方向の長さよりも長く、また、第２内部案内板１５の開口１５ａの中心軸線が本体ケース１０の左右方向のほぼ中心に位置している。このことから、第１ファン２０の作用によって本体ケース１０の第１吸込口１１から吸い込まれる空気は、左右方向の中央での流速が左右方向両端部での流速よりも速くなりやすい。このため、仮に第１パンチングメタル４０が設けられない場合、第１吸込口１１近傍では、左右方向中央の臭気だけが装置内に取り込まれて、左右方向両端部の臭気が装置内に取り込まれずに滞留するおそれがある。第１パンチングメタル４０を設けることによって、第１吸込口１１からの空気は、第１パンチングメタル４０によって抵抗が加えられて、流路断面の全体にわたって流速が均一になるように整流化された後に、第１ファン２０に吸い込まれることとなる。これにより、臭気を左右方向全体にわたって均一に装置内に取り込むことができる。また、このような第１パンチングメタル４０の整流化作用によって、第１吸込口１１近傍の吸引気流が穏やかになるため、被介護者Ｐに不快感を与えにくくすることができる。
なお、第１パンチングメタル４０による好適な面風速の一様化作用を得る観点から、第１パンチングメタル４０の各開口の開口径は３〜１２ｍｍであることが好ましく、また、第１パンチングメタル４０の開口率は、３０〜５０％であることが好ましい。パンチングメタルの開口率とは、１ｍ２当りに各開口の面積の合計が占める割合である。
また、第１パンチングメタル４０により、異物が第１ファン２０に吸い込まれるのを防止できる。
ただし、脱臭装置１は、第１パンチングメタル４０を備えなくてもよい。
【００３４】
また、本実施形態の脱臭装置１は、本体ケース１０内に、第１ファン２０よりも上流側で、流路の曲がり部分（気流が方向転換される流路部分）に配置された、ガイドベーン５０をさらに備えている。流路の図２の例では、ガイドベーン５０は、第１内部案内板１４の上面に案内されながら後方へ移動した気流が、本体ケース１０の上壁及び後壁の内壁面に沿って下方へと方向転換されるところの曲がり部分に、配置されている。ガイドベーン５０は、複数の（図２の例では２つの）板状の案内羽根からなる。ガイドベーン５０の各案内羽根は、それぞれ、本体ケース１０の上壁及び後壁からの距離が異なるように互いから離間されており、また、それぞれ流路の左右方向全長にわたって延在しているとともに、曲がり部分の流路の流路軸線に沿って後ろ斜め上に凸に湾曲している。これにより、ガイドベーン５０の各案内羽根は、流路の曲がり部分での気流をスムーズに方向転換させることができる。仮にガイドベーン５０が流路の曲がり部分に設けられない場合、流路の曲がり部分で気流の渦が生じやすくなり、その結果、圧力損失が増大するおそれがある。ガイドベーン５０を流路の曲がり部分に設けることにより、流路の曲がり部分で気流に渦が生じるのを抑制し、第１ファン２０に吸い込まれる手前での空気の流れをより穏やかにすることができ、ひいては、圧力損失を低減できる。
ただし、脱臭装置１は、ガイドベーン５０を備えなくてもよい。
【００３５】
図２の例では、第１内部案内板１４と本体ケース１０の上壁との間の上下方向の距離よりも、第２内部案内板１５と本体ケース１０の後壁との間の前後方向の距離のほうが、長くされている。また、第２内部案内板１５と連結している第３内部案内板１６の前端が、第２内部案内板１５の開口１５ａの下端よりも下側に位置している。これらにより、第２内部案内板１５と本体ケース１０の後壁と第３内部案内板１６との間の流路が、第１内部案内板１４と本体ケース１０の上壁との間の流路よりも大きく拡大されたチャンバーを構成している。このため、第１内部案内板１４と本体ケース１０の上壁との間の流路内を後方へ流れた空気は、第２内部案内板１５と本体ケース１０の後壁と第３内部案内板１６との間の流路内を流れる間に、チャンバー効果によって拡散されて減速されてから、第２内部案内板１５の開口１５ａを介して、第１ファン２０の吸込口２１に入る。これにより、第１ファン２０に吸い込まれる手前での空気の流れを緩やかにすることができる。
【００３６】
図２の例において、第３内部案内板１６は、その左右方向の全長にわたって、後ろ斜め下に凸に湾曲しており、これにより、第２内部案内板１５と本体ケース１０の後壁との間を下降してきた気流をスムーズに前方へと方向転換させることができる。これにより、気流の方向転換の際に渦が生じるのを抑制し、第１ファン２０に吸い込まれる手前での空気の流れを穏やかにすることができる。ただし、第３内部案内板１６は、第２内部案内板１５の下端から連続して後方にまっすぐ延在してもよい。
【００３７】
図２の例において、第１ファン２０の吸込口２１の寸法及び形状は第２内部案内板１５の開口１５ａの寸法及び形状とほぼ一致している。また、第１ファン２０の羽根車２３の回転軸線ＦＯは、第２内部案内板１５の開口１５ａの中心軸線とほぼ一致しているとともに、本体ケース１０の左右方向のほぼ中心に位置している。これによって、第１ファン２０の羽根車２３の回転軸線（以下、単に「第１ファン２０の回転軸線」ともいう。）ＦＯが、本体ケース１０の左側又は右側に偏っている場合に比べて、本体ケース１０の第１吸込口１１における左右両側での吸引風量を同等にできる。
【００３８】
図２の例において、第１ファン２０は、本体ケース１０の前後方向での寸法が、本体ケース１０の上下方向での寸法よりも小さく構成されている。これにより、本体ケース１０を前後方向に薄くすることができ、装置のコンパクト化が可能となる。
ただし、第１ファン２０は、本体ケース１０の前後方向での寸法が、本体ケース１０の上下方向での寸法と同じ又はそれより大きくてもよい。
図２の例では、第１ファン２０が、遠心式ファンであり、その回転軸線ＦＯが本体ケース１０の前後方向に延在するように指向されているが、このことは必須ではなく、本体ケース１０に対する第１ファン２０の回転軸線ＦＯの方向は任意でよい。
第１ファン２０は、本例のようなケーシング付きのシロッコファンに限られず、ケーシング無しのシロッコファンでもよい。また、第１ファン２０の種類は任意でよく、例えば、ターボファン等の他の遠心式ファンでもよいし、あるいは、軸流式ファン、斜流式ファン、又は横流式ファンでもよい。
ただし、第１ファン２０を、遠心式ファンとした場合、軸流式ファン、斜流式ファン、又は横流式ファンとした場合に比べて、コンパクト化や高圧力化が可能になるとともに、気流の圧力損失が減り、第１ファン２０の消費電力を抑えることが可能となる。
また、第１ファン２０を、本例のようにシロッコファンとした場合、同じ遠心式ファンであるターボファンとした場合に比べて、大風量とすることができるとともに、圧力が過剰に高くならないので騒音を少なくすることができる。
【００３９】
図２の例では、第１ファン２０の外表面が、本体ケース１０の前壁、後壁、左壁、右壁、及び底壁から離間されている。これにより、第１ファン２０の排出口２２から本体ケース１０の第１排出口１２までの流路が、第１ファン２０の排出口２２よりも上流側の流路よりも大きく拡大されたチャンバーを構成している。このため、第１ファン２０の排出口２２から出た空気は、第１ファン２０の排出口２２から本体ケース１０の第１排出口１２までの流路内で、チャンバー効果により一気に拡散されて大きく減速されてから、第１排出口１２から出るようにされる。これにより、第１排出口１２から出る気流の速度を十分に低くすることができるので、床に付いた塵等を巻き上げるのを抑制できるとともに、介護者Ｃや被介護者Ｐに不快感を与えるのを抑制できる。
このチャンバー効果を向上させる観点から、図２の例のように、第１ファン２０の排出口２２の下端が第１排出口１２の上端よりも上側にあると、好適である。
【００４０】
なお、騒音量を低減させる観点から、第１ファン２０の上流側でチャンバー状の流路を区画する、第２内部案内板１５の後面と第３内部案内板１６の上面と本体ケース１０の後壁、左壁及び右壁の内壁面とを、消音材（図示せず）で覆うと、好適である。
また、騒音量を低減させる観点から、第１ファン２０の下流側でチャンバー状の流路を区画する、第１内部案内板１４の下面と第２内部案内板１５の前面と第３内部案内板１６の下面と本体ケース１０の前壁、後壁、左壁、右壁、及び底壁の内壁面とを、消音材（図示せず）で覆うと、好適である。
【００４１】
また、図２の例では、第１ファン２０の排出口２２と本体ケース１０の第１排出口１２とが互いに対向してはおらず、第１ファン２０の排出口２２は本体ケース１０の下壁の内壁面に対向し、第１排出口１２は本体ケース１０の左壁及び右壁に設けられている。これにより、第１ファン２０の排出口２２から出た気流は、いったん本体ケース１０の内壁面に当たって減速されてから本体ケース１０の第１排出口１２から出るようにされる。言い換えれば、第１ファン２０の排出口２２から出た気流が、減速されることなくまっすぐに本体ケース１０の第１排出口１２へ向かって流れて第１排出口１２から出ることが、防止される。これにより、第１排出口１２から出た気流の速度を十分に低くすることができる。同様の観点から、本例のように第１ファン２０の排出口２２が下方向を向いている場合は、第１排出口１２は本体ケース１０の左壁、右壁、前壁又は後壁に設けられると、好適である。
なお、第１ファン２０の排出口２２と本体ケース１０の第１排出口１２とが互いに対向しないようにされる限り、本体ケース１０の第１排出口１２が本体ケース１０のどこに配置されていても、また、第１ファン２０の排出口２２がどの方向を向いていても、同様の効果が得られる。
【００４２】
なお、脱臭装置１は、本体ケース１０の内側又は外側に、オムツ収納箱（図示せず）を備えていると、好適である。このオムツ収納箱は、蓋付きであるのが好ましい。これにより、介護者Ｃが、被介護者Ｐから脱がせたオムツを、オムツの交換作業中にオムツ収納箱に格納できるので、オムツからの臭いの拡散を抑制できる。
【００４３】
つぎに、図２（ａ）及び図３を主に参照して、第１ファン２０の動作について説明する。
図２（ａ）に示すように、本実施形態の脱臭装置１は、第１ファン２０のモータ２４を駆動制御するインバータ６０と、インバータ６０に接続されたタイマ７０とを、有している。インバータ６０及びタイマ７０は、本体ケース１０の内側又は外側のいずれに配置されてもよい。インバータ６０は、本体ケース１０の外表面（図２（ａ）の例では右壁の外表面）に設けられたスイッチ１２０に接続されている。
図３は、第１ファン２０の動作の一例を説明するためのグラフであり、横軸がスイッチ１２０がＯＮにされてからの経過時間、縦軸が第１ファン２０の吸引風量を表している。インバータ６０は、スイッチ１２０がユーザ（例えば介護者Ｃ）によってＯＮにされると起動され、予め内部に組み込まれた制御プログラムに従って、タイマ７０の出力に基づいて経過時間を把握しながら、第１ファン２０の風量が図３に示す動作曲線に沿うようにモータ２４の回転数を制御した後、モータ２４を停止（ＯＦＦ）する。第１ファン２０の動作が自動的にＯＦＦになるので、ユーザがＯＦＦする必要が無い分、ユーザの操作が簡単となる。
インバータ６０に組み込まれる第１ファン２０の制御プログラム（ひいては図３に示すような動作曲線）は、例えば脱臭装置１の出荷前に、ユーザに応じて調整されたものが組み込まれるとよい。
オムツ交換作業に掛かる時間は、通常２〜３分程度であるため、スイッチ１２０がＯＮされてから第１ファン２０の動作が自動的にＯＦＦになるまでの時間は、数分程度（一例として概ね２〜５分程度。）に設定されるとよい。但し、作業時の条件は各々異なる為、ユーザが任意に設定時間を調整できる機能を付属とするとよい。このように、第１ファン２０の１回の動作時間が予め設定されていることにより、無駄に長い時間にわたって第１ファン２０が動作することによって、被介護者Ｐが感じる寒気、第１ファン２０の消費電力が増えること、及び、脱臭部材３０の消耗を、抑制できる。
また、図３の例では、ＯＮからＯＦＦまでの吸引風量は一定ではなく、ＯＮになると一気に吸引風量を上げ、大風量として速やかに臭気を吸い込んで介護ベッド３００上の臭気の大部分を取り除くようにし、その後は徐々に吸引風量を下げていくことで、被介護者Ｐに必要以上に寒気を感じさせないようにしている。ただし、動作曲線は、任意の曲線としてよく、また、ＯＮからＯＦＦまで吸引風量を一定としてもよい。
また、ユーザが第１ファン２０のＯＦＦをスイッチ１２０で行えるようにしてもよい。
【００４４】
あるいは、脱臭装置１は、ユーザによる操作に応じて、吸引風量を調整可能に構成されてもよい。これにより、例えば介護者Ｃが脱臭の必要ありと感じた時に吸引風量を上げたり、被介護者Ｐが寒さを感じた時に吸引風量を下げたりすることができる。この場合、脱臭装置１は、ユーザによる操作を受け付ける風量調整操作部（図示せず）をさらに備える。風量調整操作部は、本体ケース１０の外表面上に設置されてもよいし、あるいは、本体ケース１０とは別体にリモコン等として構成されてもよい。
そして、ユーザの風量調整操作部での操作に応じて、脱臭装置１は、インバータ６０によって第１ファン２０のモータ２４の回転数を制御することにより、吸引風量を制御するとよい。
あるいは、ユーザの風量調整操作部での操作に応じて、脱臭装置１は、モータ２４の二次側抵抗制御を行うことによって、吸引風量を制御してもよい。
あるいは、ユーザの風量調整操作部での操作に応じて、脱臭装置１は、本体ケース１０の第１吸込口１１近傍に設けられたダンパ（図示せず）を制御して、第１ファン２０に入る吸引風量を制御することにより、第１ファン２０の動作とは独立して、吸込風量を制御してもよい。
【００４５】
〔第２実施形態〕
本発明の第２実施形態の脱臭装置について、図４〜図６を参照して説明する。
図４は、本発明の第２実施形態の脱臭装置を示している。第２実施形態の脱臭装置１は、図１〜図３を参照して説明した本体部１００に加えて、本体ケース１０とは別体のプッシュフード２００をさらに備える点で、第１実施形態と異なる。本体部１００の構成及び動作は、第１実施形態と同様であるので、その説明を省略する。なお、図４及び図５の例において、本体部１００は、本体ケース１０内に第１パンチングメタル４０を備えているものとする。
【００４６】
プッシュフード２００は、本体部１００と対向するように配置されて、空気を本体部１００に向けて押す役割を持つものである。プッシュフード２００から押された空気は、本体部１００によって吸い込まれるようにすることで、プッシュフード２００と本体部１００との間の臭気を効率良く本体部１００の本体ケース１０内に取り込むことができる。また、これにより、本体ケース１０内の第１ファン２０の負荷を軽減し、第１ファン２０の消費電力を低減できる。
【００４７】
図４（ｂ）は、プッシュフード２００を示している。図４（ｂ）に示すように、プッシュフード２００は、箱型のプッシュフードケース２１０と、プッシュフードケース２１０に内蔵された第２ファン２２０と、第２パンチングメタル２４０とを、備えている。プッシュフードケース２００は、第２吸込口２１１及び第２排出口２１２を有し、第２吸込口２１１から第２排出口２１２までの流路を内部に形成している。図４（ｂ）の例では、第２吸込口２１１から第２排出口２１２までの流路は直線状の流路である。第２ファン２２０は、第２吸込口２１１と第２排出口２１２との間の流路内に配置され、第２吸込口２１１から第２排出口２１２へ向かう気流を発生可能に構成されている。第２吸込口には、網２３０が設けられるとよい。図４の例では、第２ファン２２０は、軸流式ファンであるが、他の種類のファンから構成されてよい。第２パンチングメタル２４０は、第２ファン２２０よりも下流側（第２排出口２１２に近い側）の流路内に配置されている。第２パンチングメタル２４０の構成（各開口の開口径や開口率）は、第１パンチングメタル４０と同様であると、好適である。
【００４８】
プッシュフード２００は、プッシュフードケース２１０の第２排出口２１２から出た空気が本体ケース１０の第１吸込口１１に入るように、本体ケース１０に対して配置可能に構成されている。図４（ａ）には、プッシュフード２００の別々の例として、可動型プッシュフード２０１と据置型プッシュフード２０２とを併せて示している。図５には、プッシュフード２００のさらに別の例として、アーム型プッシュフード２０３を示している。
【００４９】
図４（ａ）の可動型プッシュフード２０１は、キャスター２５１と一対の脚部材２５０とを備えており、キャスター２５１によって床の上を自由に移動可能にされている。キャスター２５１は、一対の脚部材２５０の下端部に設けられている。一対の脚部材２５０の上端部は、プッシュフードケース２１０の両側に取り付けられている。プッシュフードケース２１０は、プッシュフードケース２１０を通るとともに水平方向に延びる回転軸線ＣＯの周りで、一対の脚部材２５０に対して回転可能にされており、これにより、プッシュフードケース２１０の第２排出口２１２の指向方向を自由に調整できるようにされている。一対の脚部材２５０どうしの距離は、介護ベッド３００の幅よりも長く設定されており、これにより、プッシュフード２００は、一対の脚部材２５０が介護ベッド３００の幅方向両側に位置しているとともに、プッシュフードケース２１０が介護ベッド３００の上方に位置した状態で、介護ベッド３００の延在方向に移動できるようにされている。
可動型プッシュフード２０１の使用時には、図４（ａ）に実線で示すように、プッシュフードケース２１０の第２排出口２１２が本体ケース１０の第１吸込口１１側を向いた状態で、可動型プッシュフード２０１がヘッドボード３０２の近傍まで移動される。可動型プッシュフード２０１の収納時には、図４（ａ）に破線で示すように、本体ケース１０の左右壁に設けられたホルダー８０によって一対の脚部材２５０が保持されるとともに、プッシュフードケース２１０が本体ケース１０の上面の上に配置される。
【００５０】
図４（ａ）の据置型プッシュフード２０２は、一対の固定部材２５２と、一対の脚部材２５０とを備えており、一対の固定部材２５２によって介護ベッド３００のヘッドボード３０２の上部に固定されている。一対の脚部材２５０の上端部は、プッシュフードケース２１０の両側に取り付けられている。プッシュフードケース２１０の第２排出口２１２は、本体ケース１０の第１吸込口１１側を向いている。プッシュフードケース２１０は、プッシュフードケース２１０を通るとともに水平方向に延びる回転軸線ＣＯの周りで、一対の脚部材２５０に対して回転可能にされており、これにより、プッシュフードケース２１０の第２排出口２１２の指向方向を自由に調整できるようにされている。
【００５１】
図５のアーム型プッシュフード２０３は、複数の回転軸の周りで屈曲動作することにより、伸長及び折り畳みが可能に構成されたアーム２５３を有している。アーム２５３の一端は本体ケース１０の上面に固定されており、アーム２５３の他端はプッシュフードケース２１０に固定されている。プッシュフードケース２１０は、プッシュフードケース２１０の外部で水平方向に延びる回転軸線ＣＯの周りで、アーム２５３に対して回転可能にされており、これにより、プッシュフードケース２１０の第２排出口２１２の指向方向を自由に調整できるようにされている。
アーム型プッシュフード２０３の使用時には、図５に実線で示すように、アーム２５３がヘッドボード３０２に向かって伸長され、プッシュフードケース２１０の第２排出口２１２が本体ケース１０の第１吸込口１１側を向いた状態にされる。アーム型プッシュフード２０３の収納時には、図５に破線で示すように、アーム２５３が折り畳められるとともに、プッシュフードケース２１０が本体ケース１０の上面の上に配置される。
【００５２】
脱臭装置１の使用時には、図４（ａ）及び図５に示すように、プッシュフードケース２１０の第２排出口２１２が、被介護者Ｐの下半身に向けて斜め下に指向されるとよい。そして、第２ファン２２０の作用によってプッシュフード２００の第１吸込口２１１から吸い込まれた空気は、第２パンチングメタル２４０を通ってから第２排出口２１２を出る。その後、介護ベッド３００上の被介護者Ｐの上方を流れて臭気を捕らえて、捕らえた臭気を本体ケース１０の第１吸込口１１へと押す。一方、第１ファン２０の作用によって本体ケース１０の第１吸込口１１から吸い込まれた空気は、第１パンチングメタル４０を通ってから第１ファン２０へ入る。このように、気流が第２パンチングメタル２４０から第１パンチングメタル４０へ流れるようにされているため、第２パンチングメタル２４０及び第１パンチングメタル４０の整流化作用によって、第２パンチングメタル２４０と第１パンチングメタル４０との間で気流の速度及び方向が一様となる。このため、第２パンチングメタル２４０と第１パンチングメタル４０との間の臭気を外部に拡散させずに運搬することができるとともに、被介護者Ｐに当たる気流が被介護者Ｐによって心地良いものとなる。
ただし、本実施形態の脱臭装置１は、本体ケース１０内に第１パンチングメタル４０を備えなくてもよく、また、プッシュフードケース２１０内に第２パンチングメタル２４０を備えなくてもよい。
【００５３】
図６は、第２実施形態の脱臭装置に用いられるプッシュフード２００のさらに別の変形例を示している。図６の例のプッシュフード２００は、上述した図４又は図５のプッシュフード２００に好適に適用できる。図６では、簡単のため、プッシュフードケース２１０の外側に設けられ得る部材（脚部材等）は省略している。
図６のプッシュフード２００は、プッシュフードケース２１０内に第２ファン２２０及び第２パンチングメタル２４０を備えるのに加えて、プッシュフードケース２１０内において、ハニカム整流格子２６０が第２パンチングメタル２４０の下流側に設けられる点で、図４及び図５のプッシュフード２００とは異なる。ハニカム整流格子２６０は、多数の筒状体２６０ａが隙間無く並べられた、ハニカム構造からなる格子である。ハニカム整流格子２６０を構成する各筒状体２６０ａは、それぞれ、平面視において多角形状に構成されるものであり、図６の例では平面視において六角形状に構成されているが、その他にも、平面視において四角形状等に構成されていてもよい。ハニカム整流格子２６０は、内部を通過する空気を同一方向の流れに整える機能を有する。ハニカム整流格子２６０を第２パンチングメタル２４０の下流側に配置することにより、プッシュフード２００を通る空気がさらに効果的に速度及び方向において一様化されることとなる。これにより、プッシュフード２００から出た空気が、さらに一様性の高い空気となり、層流となって到達距離を延ばすことができる。よって、第２パンチングメタル２４０及びハニカム整流格子２６０と第１パンチングメタル４０との間で、気流の速度及び方向が、さらに一様となる。
なお、プッシュフード２００は、第２パンチングメタル２４０の下流側に、複数のハニカム整流格子２６０を備えていてもよい。
【００５４】
〔第３実施形態〕
本発明の第３実施形態の脱臭装置について、図７を参照して説明する。図７は、本発明の第３実施形態の脱臭装置を示している。第３実施形態の脱臭装置１は、本体部１００の本体ケース１０の第１吸込口１１に接続された、フレキシブルダクト９０をさらに備える点で、第１実施形態と異なる。本体部１００のその他の構成及び動作は、第１実施形態と同様であるので、その説明を省略する。なお、本実施形態の脱臭装置１は、第２実施形態で説明したプッシュフード２００を備えてもよい。
【００５５】
フレキシブルダクト９０は、伸縮可能な蛇腹状のダクトであり、その先端開口９０ａと本体ケース１０の第１吸込口１１とを接続している。フレキシブルダクト９０を設けることにより、その先端開口９０ａを被介護者Ｐの臭気発生箇所（例えば下半身）に近づけることができる。これにより、臭気の拡散を抑制できるとともに、効率よく臭気を本体ケース１０内に取り込むことができる。
【００５６】
〔第４実施形態〕
本発明の第４実施形態の脱臭装置について、図８を参照して説明する。図８は、本発明の第４実施形態の脱臭装置を示している。第４実施形態の脱臭装置１は、本体部１００の本体ケース１０に可動板１１０、１１１をさらに備える点で、第１実施形態と異なる。本体部１００のその他の構成及び動作は、第１実施形態と同様であるので、その説明を省略する。なお、本実施形態の脱臭装置１は、第２実施形態で説明したプッシュフード２００や、第３実施形態で説明したフレキシブルダクト９０を備えてもよい。
【００５７】
可動板１１０、１１１は、本体ケース１０の上面、左面及び右面のうち少なくともいずれか１つに、本体ケースに対して可動に設けられているとともに、本体ケース１０の前方へ延在可能に構成されている。可動板１１０、１１１を設けることにより、臭気の拡散を抑制し、臭気を効率よく第１吸込口１１内へ取り込むことができるとともに、脱臭の必要の無い空気が第１吸込口１１内に入るのを抑制できる。また、被介護者Ｐ及び介護者Ｃ以外の者の視界から、被介護者Ｐの身体の一部を遮蔽することもできる。
【００５８】
図８の例では、可動板１１０が、本体ケース１０の左面に、水平方向に延びる回転軸線ＰＯの周りで、本体ケース１０に対して所定角度範囲内で回転可能にされている。使用時には、可動板１１０は、図８に実線で示すように、前方に向かって延在するようにされる。このとき、図８の例のように、可動板１１０の少なくとも一部が、介護ベッド３００の上面よりも上側に位置していると、被介護者Ｐの下半身を他者の視界から遮ることができるので、好ましい。収納時には、図８に破線で示すように、可動板１１０は、本体ケース１０の左面に沿って上下方向に延在するようにされる。
なお、可動板１１０は、本体ケース１０の右面に設けられてもよいし、左面と右面との両方に設けられてもよい。
【００５９】
また、図８の例では、別の可動板１１１が、本体ケース１０の上面に、第１吸込口１１の上端近傍において、水平方向に延びる回転軸線ＰＯの周りで、本体ケース１０に対して所定角度範囲内で回転可能にされている。使用時には、可動板１１１は、図８に実線で示すように、第１吸込口１１の上端近傍から前方かつ斜め上に向かって延在するようにされる。収納時には、図８に破線で示すように、可動板１１１は、本体ケース１０の上面の上に載せられる。
【産業上の利用可能性】
【００６０】
本発明の脱臭装置は、介護ベッドに隣接配置された状態で特に好適に用いることができる。
【符号の説明】
【００６１】
１  脱臭装置
１０  本体ケース
１１  第１吸込口
１２  第１排出口
１３  キャスター
１４〜１６  内部案内板
１５ａ  開口
１７  外部案内板
２０  第１ファン
２１  第１ファンの吸込口
２２  第１ファンの排出口
２３  羽根車
２４  モータ
３０  脱臭部材
４０  第１パンチングメタル
５０  ガイドベーン
６０  インバータ
７０  タイマ
８０  ホルダー
９０  フレキシブルダクト
９０ａ  フレキシブルダクトの先端開口
１００  本体部
１１０、１１１  可動板
１２０  スイッチ
２００  プッシュフード
２０１  可動型プッシュフード
２０２  据置型プッシュフード
２０３  アーム型プッシュフード
２１０  プッシュフードケース
２１１  第２吸込口
２１２  第２排出口
２２０  第２ファン
２３０  網
２４０  第２パンチングメタル
２５０  脚部材
２５１  キャスター
２５２  固定部材
２５３  アーム
２６０  ハニカム整流格子
２６０ａ  筒状体
３００  介護ベッド
３０１  フットボード
３０２  ヘッドボード
Ｃ  介護者
ＣＯ  プッシュフードケースの回転軸線
ＦＯ  第１ファンの羽根車の回転軸線
Ｐ  被介護者
ＰＯ  可動板の回転軸線
【図１】
2018033704.tif 000003
【図２】
2018033704.tif 000004
【図３】
2018033704.tif 000005
【図４】
2018033704.tif 000006
【図５】
2018033704.tif 000007
【図６】
2018033704.tif 000008
【図７】
2018033704.tif 000009
【図８】
2018033704.tif 000010
【手続補正書】
【提出日】平成29年10月31日(2017.10.31)
【手続補正１】
【補正対象書類名】特許請求の範囲
【補正対象項目名】全文
【補正方法】変更
【補正の内容】
【特許請求の範囲】
【請求項１】
介護ベッドの上側で発生する臭気を低減するための脱臭装置であって、
第１吸込口及び第１排出口を有し、前記第１吸込口から前記第１排出口までの流路を内部に形成する、本体ケースと、
前記第１吸込口と前記第１排出口との間の流路内に配置され、前記第１吸込口から前記第１排出口へ向かう気流を発生可能に構成された、第１ファンと、
前記第１吸込口から前記第１排出口までの流路内に配置された、脱臭部材と、
を備え、
前記第１吸込口は、前記本体ケースの前方を向くとともに、前記本体ケースの上部に配置されており、
前記本体ケースの前後方向の長さは、前記本体ケースの左右方向の長さ及び上下方向の長さよりも短く、
前記本体ケースの内部には、前記第１吸込口の下端から連続して後方に延在する第１内部案内板と、前記第１内部案内板の後端から連続して下方に延在する第２内部案内板と、前記第２内部案内板の下端から連続して後方に延在し、前記本体ケースの後壁に連結された第３内部案内板と、が設けられており、
前記第１ファンは、前記第１内部案内板の下側において、前記第２内部案内板の前面に固定されているとともに、前記本体ケースの前壁と対向しており、
前記第１ファンの吸込口は、後側を向いており、
前記第１ファンの動作中において、前記第１吸込口から吸い込まれた空気は、前記第１ファンよりも上側で前記第１内部案内板と前記本体ケースの上壁とにより区画された流路内で後方へと流れた後に、前記第２内部案内板と前記本体ケースの後壁とにより区画された流路内で下降し、その後に、前記第３内部案内板によって案内されながら前方へと方向転換されてから、前記第２内部案内板に設けられた開口を通って、前記第１ファンの吸込口に吸い込まれる、脱臭装置。
【請求項２】
前記第１ファンは、前記本体ケースの前後方向での寸法が、前記本体ケースの上下方向での寸法よりも小さく構成されている、請求項１に記載の脱臭装置。
【請求項３】
前記第１ファンは、遠心式ファンであり、前記第１ファンの回転軸線が前記本体ケースの前後方向に延在するように指向されている、請求項１又は２に記載の脱臭装置。
【請求項４】
前記本体ケース内に、前記第１ファンよりも上流側の流路内に配置された、第１パンチングメタルをさらに備えている、請求項１〜３のいずれか一項に記載の脱臭装置。
【請求項５】
前記本体ケース内に、前記第１ファンよりも上流側で、流路の曲がり部分に配置された、ガイドベーンをさらに備えている、請求項１〜４のいずれか一項に記載の脱臭装置。
【請求項６】
前記本体ケースの前記第１吸込口に接続された、フレキシブルダクトをさらに備えている、請求項１〜５のいずれか一項に記載の脱臭装置。
【請求項７】
前記第１内部案内板と前記本体ケースの上壁との間の上下方向の距離よりも、前記第２内部案内板と前記本体ケースの後壁との間の前後方向の距離のほうが、長い、請求項１〜６のいずれか一項に記載の脱臭装置。
【請求項８】
前記本体ケースの前記第１排出口は、前記本体ケースの下部に配置されており、
前記第２内部案内板と前記第１ファンの排出口とが、前記本体ケースの前記第１排出口よりも上側に配置されている、請求項１〜７のいずれか一項に記載の脱臭装置。
【請求項９】
介護ベッドの上側で発生する臭気を低減するための脱臭装置であって、
第１吸込口及び第１排出口を有し、前記第１吸込口から前記第１排出口までの流路を内部に形成する、本体ケースと、
前記第１吸込口と前記第１排出口との間の流路内に配置され、前記第１吸込口から前記第１排出口へ向かう気流を発生可能に構成された、第１ファンと、
前記第１吸込口から前記第１排出口までの流路内に配置された、脱臭部材と、
を備え、
前記第１吸込口は、前記本体ケースの前方を向くとともに、前記本体ケースの上部に配置されており、
前記第１ファンの動作中において、前記第１吸込口から吸い込まれた空気は、前記本体ケースの流路内で、前記第１ファンよりも上側で後方へと流れた後に下降し、その後に前方へと方向転換されてから前記第１ファンに吸い込まれるように構成されており、
前記本体ケースの上面、左面及び右面のうち少なくともいずれか１つに、前記本体ケースに対して可動に設けられているとともに、前記本体ケースの前方へ延在可能に構成された、可動板をさらに備えている、脱臭装置。
【請求項１０】
介護ベッドの上側で発生する臭気を低減するための脱臭装置であって、
第１吸込口及び第１排出口を有し、前記第１吸込口から前記第１排出口までの流路を内部に形成する、本体ケースと、
前記第１吸込口と前記第１排出口との間の流路内に配置され、前記第１吸込口から前記第１排出口へ向かう気流を発生可能に構成された、第１ファンと、
前記第１吸込口から前記第１排出口までの流路内に配置された、脱臭部材と、
を備え、
前記第１吸込口は、前記本体ケースの前方を向くとともに、前記本体ケースの上部に配置されており、
前記第１ファンの動作中において、前記第１吸込口から吸い込まれた空気は、前記本体ケースの流路内で、前記第１ファンよりも上側で後方へと流れた後に下降し、その後に前方へと方向転換されてから前記第１ファンに吸い込まれるように構成されており、
前記本体ケース内に、前記第１ファンよりも上流側の流路内に配置された、第１パンチングメタルをさらに備え、
前記本体ケースとは別体のプッシュフードをさらに備え、
前記プッシュフードは、
第２吸込口及び第２排出口を有し、前記第２吸込口から前記第２排出口までの流路を内部に形成する、プッシュフードケースと、
前記第２吸込口と前記第２排出口との間の流路内に配置され、前記第２吸込口から前記第２排出口へ向かう気流を発生可能に構成された、第２ファンと、
前記第２ファンよりも下流側の流路内に配置された、第２パンチングメタルと、
前記第２パンチングメタルよりも下流側の流路内に配置された、ハニカム整流格子と、
を備え、
前記プッシュフードは、前記プッシュフードケースの前記第２排出口から出た空気が前記本体ケースの前記第１吸込口に入るように、前記本体ケースに対して配置可能に構成されている、脱臭装置。
【手続補正２】
【補正対象書類名】明細書
【補正対象項目名】００３１
【補正方法】変更
【補正の内容】
【００３１】
上述のように、本実施形態の脱臭装置１によれば、本体ケース１０の上部に第１吸込口１１を配置することによって、第１吸込口１１をフットボード３０１よりも上側に配置することが可能となる。これにより、臭気が集中する介護ベッド３００の上側の空気だけを集中的に脱臭装置１内へ取り入れることができ、脱臭効率を向上できる。
また、本体ケース１０の第１吸込口１１から吸い込まれた空気が、本体ケース１０の流路内で、第１ファン２０の周りを略Ｕ字状に迂回してから、本体ケース１０の後方を向くように指向された第１ファン２０の吸込口２１に入るので、例えば本体ケース１０の上部に位置する第１吸込口１１から吸い込まれた空気が、下方それから後方へと方向転換されてから、本体ケース１０の前方を向くように指向された第１ファン２０の吸込口２１に入るようにされた場合に比べて、本体ケース１０の前後方向の寸法を薄くしつつ、本体ケース１０内の気流を緩やかにすることができる。本体ケース１０内の気流を緩やかにすることにより、気流の圧力損失を低減でき、ひいては、第１ファン２０の消費電力を低減できる。
また、このように、第１吸込口１１を高い位置に配置して、被介護者Ｐと本体ケース１０の第１吸込口１１との間に十分な距離を確保することにより、また、装置内の気流を穏やかにすることにより、脱臭装置１の外で第１吸込口１１に向かう吸引気流が、被介護者Ｐがオムツ交換中に肌が露出される間、被介護者Ｐにとって寒気や不快感を感じにくいものとなる。